(57)【特許請求の範囲】
【請求項１】
第１のパネルと、
第１のパネルに対して引出し位置と引込み位置との間で第１の方向に摺動可能な第２のパネルと、を有し、第１のパネルは、第２のパネルが引込み位置に向かって移動するのに応じて、引出し位置から折りたたみ位置に向かって異なる第２の方向に移動し、
さらに、第１のパネルを引出し位置から折りたたみ位置へ向かって折りたたむ折りたたみ機構と、
第２のパネルに支持され、折りたたみ機構の折りたたみ動作を引き起こす起動装置と、を有することを特徴とするエレベータトーガードアセンブリ。
【請求項２】
第２のパネルは、第１のパネルに対して入れ子式に移動可能であり、かつ第１のパネルと共に第２の方向に移動することを特徴とする請求項１に記載のエレベータトーガードアセンブリ。
【請求項３】
第２のパネルは、引出し位置において垂直方向で少なくとも部分的に第１のパネルの下に支持され、引込み位置において第１のパネルと少なくとも部分的に重なることを特徴とする請求項１に記載のエレベータトーガードアセンブリ。
【請求項４】
前記のパネルの下方に支持された接触片を有し、この接触片は、アセンブリが垂直方向下向きに移動するに従って、前記のパネルの下方に位置する面と接触するように設けられており、第２のパネルは、前記の接触に応じて引出し位置から引込み位置に向かって移動することを特徴とする請求項１に記載のエレベータトーガードアセンブリ。
【請求項５】
第１のパネルは、第１の端部の近傍でピボット可能に支持されており、折りたたみ機構は第１のパネルの反対側の第２の端部の近傍で第１のパネルに連結されており、第１のパネルは、引出し位置と折りたたみ位置との間で移動するときに、第１の端部の近傍の回転軸を中心にピボットすることを特徴とする請求項１に記載のエレベータトーガードアセンブリ。
【請求項６】
前記起動装置は、第２のパネルが第１のパネルに対して移動するに従って、折りたたみ機構の部分と接触する接触面を含み、前記の接触により、折りたたみ機構の前記部分によって第１のパネルが折りたたみ位置に向かって押されることを特徴とする請求項１に記載のエレベータトーガードアセンブリ。
【請求項７】
前記接触面は、第１の方向に対して少なくとも部分的に横方向に延び、かつ第２のパネルが引込み位置に接近するのに従って折りたたみ機構の前記部分と接触するように第２のパネルの一端の近傍に設けられていることを特徴とする請求項６に記載のエレベータトーガードアセンブリ。
【請求項８】
前記接触面は、第２のパネルに設けられており、前記接触面が折りたたみ機構の前記部分に接触した後に第２のパネルが引込み位置に移動し続けることを特徴とする請求項７に記載のエレベータトーガードアセンブリ。
【請求項９】
折りたたみ機構は、第１のリンクを備え、この第１のリンクは、第１のパネルとピボット可能に連結された第１の端部と、第２のリンクの第１の端部とピボット可能に連結された第２の端部と、を有し、第２のリンクは、エレベータかごの底部の近傍にピボット可能に連結されるように設けられた第２の端部を有し、第１のリンクは、前記接触面が接触する折りたたみ機構の前記部分であることを特徴とする請求項６に記載のエレベータトーガードアセンブリ。
【請求項１０】
第２のリンクは、該第２のリンクの第１の端部の近傍に停止部材を含み、この停止部材は、第１のリンクの第２の端部の近傍において第１のリンクと係合し、第１のパネルが引出し位置にあるときに第１のリンクと第２のリンクとの所望の整列を維持することを特徴とする請求項９に記載のエレベータトーガードアセンブリ。
【請求項１１】
第２のパネルは、第１のパネルが引出し位置と折りたたみ位置との間で移動するときに、第１のパネルと共にピボットすることを特徴とする請求項１に記載のエレベータトーガードアセンブリ。
【請求項１２】
エレベータかごの床の近傍に固定されるように設けられたブラケットを有し、このブラケットは、第１のパネルおよび第２のパネルが引出し位置にあるときに、第１のパネルおよび第２のパネルと平行でかつ整列したトーガードパネル部分を含むことを特徴とする請求項１に記載のエレベータトーガードアセンブリ。
【請求項１３】
昇降路と、
昇降路内で移動可能なエレベータかごと、
エレベータかごの底部の近傍に支持された第１のトーガードパネルと、
第１のトーガードパネルに対して、引出し位置と引込み位置との間で第１の方向に摺動可能な第２のトーガードパネルと、を有し、第１のトーガードパネルは、第２のトーガードパネルが引込み位置に向かって移動するのに応じて、引出し位置から折りたたみ位置に向かって異なる第２の方向に移動し、
さらに、第１のトーガードパネルを引出し位置から折りたたみ位置へ向かって折りたたむ折りたたみ機構と、
第２のトーガードパネルに支持され、折りたたみ機構の折りたたみ動作を引き起こす起動装置と、を有することを特徴とするエレベータ装置。
【請求項１４】
第１のトーガードパネルと第２のトーガードパネルとは、
（ｉ）前記のトーガードパネルが共に引出し位置にあるときに、エレベータかごの下に第１の距離にわたって延在し、
（ｉｉ）第１のトーガードパネルが引出し位置にあり、第２のトーガードパネルが少なくとも部分的に引込み位置にあるときに、エレベータかごの下により短い第２の距離にわたって延在し、
（ｉｉｉ）第１のトーガードパネルが折りたたみ位置にあるときに、エレベータかごの下に第３の距離にわたって延在し、第３の距離は第２の距離よりも短いことを特徴とする請求項１３に記載のエレベータ装置。
【請求項１５】
昇降路は、深さを有するピットを含み、第１の距離はピット深さよりも大きく、第３の距離はピット深さよりも小さいことを特徴とする請求項１４に記載のエレベータ装置。
【請求項１６】
第２のパネルは、第１のパネルに対して入れ子式に移動可能であり、第１のパネルは、エレベータかごに対してピボット移動可能であることを特徴とする請求項１３に記載のエレベータ装置。
【請求項１７】
第２のパネルは、引出し位置において垂直方向で少なくとも部分的に第１のパネルの下に支持されるとともに、引込み位置において第１のパネルと少なくとも部分的に重なり、第１のパネルが折りたたみ位置に移動するに従って、第２のパネルは第１のパネルと共に移動することを特徴とする請求項１６に記載のエレベータ装置。
【請求項１８】
前記のパネルの下方に支持された接触片を有し、この接触片は、エレベータかごが昇降路の底部の近傍の面に接近するときにこの面と接触するように設けられており、第２のパネルは、前記の接触に応じて引出し位置から引込み位置に向かって移動し、前記接触片は、第１のパネルが折りたたみ位置に向かって移動するに従って前記面に沿って移動することを特徴とする請求項１３に記載のエレベータ装置。
【請求項１９】
エレベータかごの床の近傍に固定されるように設けられた固定ブラケットを有し、この固定ブラケットは、エレベータかごの床にほぼ垂直な固定トーガードパネル部分を含み、第１および第２のトーガードパネルは、引出し位置にあるときに、固定トーガードパネル部分と平行でかつ整列していることを特徴とする請求項１３に記載のエレベータ装置。
【発明の詳細な説明】
【技術分野】
【０００１】
本発明は、エレベータ装置のトーガードアセンブリに関する。
【背景技術】
【０００２】
エレベータかごは、一般に、エレベータかごの下に位置するトーガードを含む。トーガードは、典型的に剛体で、約１メートルの長さを有する。トーガードには、２メートル近いものもある。よって、エレベータかごが最下乗場に位置するときに、トーガードがシャフトの底部に衝突するのを防止するためにエレベータかごの下にかなり大きいクリアランスが必要となる。
【０００３】
エレベータ装置は、１つにはエレベータかごの底部と昇降路の底部との間に十分なクリアランスを提供するために、昇降路の底部にピットを備える。典型的な形態のピットは、典型的なトーガードに対して十分なクリアランスを提供する。しかし、最近はエレベータピットがなくなったり、寸法が減少したりしている。このような装置では、従来のトーガードのために、エレベータかごが必要なだけ低い位置まで移動することができない。
【０００４】
このような事態に対処するための１つの提案は、特許文献１に示されている。この特許文献は、トーガードがエレベータかごから垂直方向下向きに延在する位置からトーガードがエレベータかごの下にほぼ水平にしまい込まれた位置へと移動可能なトーガードパネルを含む。
【先行技術文献】
【特許文献】
【０００５】
【特許文献１】米国特許第６０９５２８８号明細書
【発明の概要】
【課題を解決するための手段】
【０００６】
例示的なエレベータトーガードアセンブリは、第１のパネルを含む。第２のパネルが、引出し位置と引込み位置との間で第１のパネルに対して第１の方向に摺動可能となっている。第１のパネルは、第２のパネルが引込み位置に向かって移動するのに応じて、引出し位置から折りたたみ位置に向かって異なる第２の方向に移動する。
【０００７】
上の段落と一貫する１つのアセンブリでは、第２のパネルは第１のパネルに対して入れ子式に移動可能であり、第２のパネルは第１のパネルと共に第２の方向に移動する。
【０００８】
上のいずれかの段落と一貫する例示的なアセンブリでは、第２のパネルは、引出し位置において第１のパネルの下に支持されており、引出し位置および引込み位置において第１のパネルと少なくとも部分的に重なる。
【０００９】
上の３段落のいずれかと一貫する例示的なアセンブリでは、第２のパネルの下に接触片が支持されている。接触片は、アセンブリが垂直方向下向きに移動するに従って、パネルの下方に位置する面に接触するように設けられている。第２のパネルは、このような接触に応じて引出し位置から引込み位置に向かって移動する。
【００１０】
上の４段落のいずれかと一貫する例示的なアセンブリでは、折りたたみ機構によって、パネルが引出し位置と折りたたみ位置との間で移動することが容易となっている。起動装置が、第２のパネルに支持される。起動装置は、折りたたみ機構の折りたたみ動作を引き起こす。
【００１１】
上の５段落のいずれかと一貫する例示的なアセンブリは、第１の端部の近傍でピボット可能に支持された第１のパネルを含む。折りたたみ機構は、第１のパネルの反対側の第２の端部で第１のパネルに連結されている。第１のパネルは、引出し位置と折りたたみ位置との間で移動するときに第１の端部の近傍の回転軸を中心にピボットする。
【００１２】
上の６段落のいずれかと一貫する例示的なアセンブリは、起動装置に設けられた接触面を含み、この接触面は、第１のパネルに対して第２のパネルが移動するに従って折りたたみ機構の一部と接触する。接触面と折りたたみ機構とが接触すると、折りたたみ機構の部分によって第１のパネルが第１の位置に向かって押される。
【００１３】
上の７段落のいずれかと一貫する例示的なアセンブリは、第２のパネルの一端の近傍で該第２のパネルに対して少なくとも部分的に横方向に延びる接触面を含む。接触面と折りたたみ機構の部分との接触は、第２のパネルが引込み位置に接近するのに従って生じる。
【００１４】
上の８段落のいずれかと一貫する例示的なアセンブリは、第２のパネルに設けられた接触面を含み、第２のパネルは、接触面が折りたたみ機構の部分に接触した後で引込み位置に移動し続ける。
【００１５】
上の９段落のいずれかと一貫する例示的なアセンブリは、第１のリンクを備える折りたたみ機構を含み、第１のリンクは、第１のパネルとピボット可能に連結された第１の端部を有し、かつ第２のリンクの第１の端部とピボット可能に連結されている。第２のリンクは、エレベータかごの底部の近傍にピボット可能に連結されるように設けられた第２の端部を有する。第１のリンクは、接触面と接触する折りたたみ機構の部分である。
【００１６】
上の１０段落のいずれかと一貫する例示的なアセンブリは、第２のリンクの第１の端部の近傍に停止部材を含む。停止部材は、第１のリンクの第２の端部の近傍で第１のリンクと係合する。停止部材は、第１のパネルが引出し位置にあるときに、第１および第２のリンクの所望の整列を維持する。
【００１７】
上の１１段落のいずれかと一貫する例示的なアセンブリは、第１のパネルが引出し位置と折りたたみ位置との間で移動するに従って、第１のパネルと共にピボットする第２のパネルを含む。
【００１８】
上の１２段落のいずれかと一貫する例示的なアセンブリは、エレベータかごの床の近傍に固定されるように設けられたブラケットを含む。ブラケットは、第１のパネルおよび第２のパネルが引出し位置にあるときに、第１のパネルおよび第２のパネルと平行でかつ整列したトーガードパネル部分を含む。
【００１９】
例示的なエレベータ装置は、昇降路内で移動可能なエレベータかごを含む。第１のトーガードパネルが、エレベータかごの底部の近傍に支持されている。第２のトーガードパネルが、第１のパネルに対して、引出し位置と引込み位置との間で第１の方向に移動可能である。第１のトーガードパネルは、第２のパネルが引込み位置に向かって移動するのに応じて、引出し位置から折りたたみ位置に向かって異なる第２の方向に移動する。
【００２０】
上の段落と一貫する例示的な装置では、第１のトーガードパネルと第２のトーガードパネルは、トーガードパネルが共に引出し位置にあるときに、エレベータかごの下に第１の距離にわたって延在する。第１のトーガードパネルと第２のトーガードパネルは、第１のトーガードパネルが引出し位置にあり、第２のトーガードパネルが少なくとも部分的に引込み位置にあるときに、エレベータかごの下により短い第２の距離にわたって延在する。第１のトーガードパネルと第２のトーガードパネルは、第１のトーガードパネルが折りたたみ位置にあるときに、エレベータかごの下に最小の第３の距離にわたって延在する。
【００２１】
上の２段落と一貫する例示的な装置では、昇降路は深さを有するピットを含む。第１の距離はピット深さよりも大きく、第３の距離はピット深さよりも小さい。
【００２２】
上の３段落と一貫する例示的な装置では、第２のパネルは、第１のパネルに対して入れ子式に移動可能であり、第１のパネルは、エレベータかごに対してピボット移動可能である。
【００２３】
上の４段落と一貫する例示的な装置では、第２のパネルは、引出し位置において第１のパネルの下に支持されている。第２のパネルは、引出し位置および引込み位置において少なくとも部分的に第１のパネルと重なる。第２のパネルは、第１のパネルが折りたたみ位置に移動するに従って第１のパネルと共に移動する。
【００２４】
上の５段落と一貫する例示的な装置は、第２のトーガードパネルの下に支持された接触片を含む。接触片は、エレベータかごが昇降路の底部の近傍の面に接近するのに従って、上記面と接触するように設けられている。第２のパネルは、上記の接触に応じて、引出し位置から引込み位置に向かって移動する。接触片は、第１のパネルが折りたたみ位置に向かって移動するに従って上記面に沿って移動する。
【００２５】
上の６段落と一貫する例示的な装置は、エレベータかごの床の近傍に固定されるように設けられた固定ブラケットを含む。固定ブラケットは、エレベータかごの床にほぼ垂直な固定トーガードパネル部分を含む。第１および第２のトーガードパネルは、引出し位置にあるときに固定トーガードパネル部分と平行でかつ整列している。
【００２６】
開示された例示的な実施例の種々の特徴および利点は、以下の詳細な説明によって当業者に明らかとなる。詳細な説明に付随する図面について、以下に簡単に説明する。
【図面の簡単な説明】
【００２７】
【図１】本発明の実施例に従って設計されたトーガードアセンブリを含む例示的なエレベータ装置の選択された部分を示す概略説明図である。
【図２】本発明の実施例に係る例示的なトーガードアセンブリの概略透視図である。
【図３】図２の実施例の反対側からの概略透視図である。
【図４】図３の４−４線に沿った断面図である。
【図５】トーガードが完全な引出し位置にある例示的なトーガードアセンブリの動作を示す概略図である。
【図６】トーガードアセンブリの一部が昇降路内の下方の面と接触する図５の実施例の他の動作状態を示す概略図である。
【図７】エレベータかごが図６に比べて昇降路の底部の面のより近くに移動された図５，図６の実施例の他の動作状態を示す概略図である。
【図８】起動装置が折りたたみ機構の動作を引き起こす位置における図５〜図７の実施例を示す概略図である。
【図９】エレベータかごがさらに降下してさらに折りたたまれた図５〜図８の実施例を示す概略図である。
【図１０】トーガードアセンブリの背面および起動装置と例示的な折りたたみ機構の相互作用を示すエレベータかごの下側からの概略透視図である。
【図１１】トーガードアセンブリのパネルが引き込まれて折りたたまれた位置にある図５〜図１０の実施例を示す説明図である。
【図１２】最大限まで引き込まれて折りたたまれた図５〜図１１の実施例を示す説明図である。
【発明を実施するための形態】
【００２８】
図１は、エレベータ装置２０の選択された部分を概略的に示している。選択された部分のみが図示されている。当業者であれば分かるように、（例えば、レール、バッファ、ガバナ、マシン、ブレーキ、駆動装置、制御装置、牽引部材などの）多くの他の構成要素がエレベータ装置に含まれる。このような構成要素は、説明を簡潔にするため、また当業者であればすでに認識しているため、図および説明から省かれている。
【００２９】
エレベータかご２２が、昇降路２４内で移動可能である。昇降路２４の底部の近傍の面２６は、ピットの床または昇降路２４の底部にピットを含まない例では昇降路の底面とすることができる。
【００３０】
トーガードアセンブリ３０がエレベータかご２２に設けられており、このトーガードアセンブリ３０は、なんらかの理由でかごが乗場と適切に整列する前に昇降路ドア（図示省略）が開いた場合に、エレベータかご２２の底部と隣接する乗場との間の空間を覆う。トーガードアセンブリ３０の存在は、どこまでエレベータかご２２が降下できるかに影響する。例示的なトーガードアセンブリ３０は、（図１に示す）引出し位置から（図１１，図１２に示す）引き込まれて折りたたまれた位置まで移動可能であり、引き込まれて折りたたまれた位置では、トーガードアセンブリ３０が図１に示す位置に残った場合に比べてエレベータかご２２が面２６のより近くまで降下することが可能となる。
【００３１】
図２〜図４を参照すると、例示的なエレベータトーガードアセンブリ３０は、第１のパネル３２と第２のパネル３４を含む。第２のパネル３４は、第１のパネル３２に対して、（例えば、図２〜図４に示す）引出し位置と（例えば、図１１，図１２に示す）引込み位置との間で第１の方向に移動可能である。この例では、第２のパネル３４は、第１のパネル３２に対して摺動可能でかつ入れ子式に移動可能である。また、この例では、第２のパネル３４は、スロット３６を含む。第１のパネル３２は、スロット３６に収容されるポスト３８を含む。ポスト３８とスロット３６の端部は、第１のパネル３２に対する第２のパネル３４の移動範囲を定める。
【００３２】
図４に最もよく示されているように、この例では、第１のパネル３２は、前方プレート４０、側方フランジ４２および後方部分４４を含む。第２のパネル３４は、前方プレート５０および側方フランジ５２を含む。図から分かるように、前方プレート５０は、第１のパネル３２の前方プレート４０と後方部分４４の間に受け入れられる。ポスト３８は、前方プレート４０と後方部分４４との間に間隔を提供し、第１のパネル３２に対して第２のパネル３４が移動可能となるように、前方プレート５０の対応する部分が上記間隔に受け入れられる。この例では、側方フランジ５２は、側方フランジ４２の外側に支持される。
【００３３】
図２〜図４では、第２のパネル３４は完全な引出し位置にある。この例では、完全な引出し位置は、第２のパネル３４が垂直方向で少なくとも部分的に第１のパネル３２の下に位置し、第２のパネル３４の底端部５４が第１のパネル３２から最も遠い最下位置にあることを含む。
【００３４】
例示的なトーガードアセンブリ３０は、トーガードパネル５８を有する固定ブラケット５６を含み、トーガードパネル５８は、第１のパネル３２と第２のパネル３４が完全な引出し位置にあるときに、これらのパネル３２，３４と平行でかつ整列している。固定ブラケット５６は、トーガードアセンブリ３０がエレベータかご２２に対して所望の位置に設けられように、エレベータかご２２の適切な位置に固定される。この例では、第１のパネル３２は、固定ブラケット５６に連結されている。
【００３５】
図示の例は、折りたたみ機構６０をさらに含み、第２のパネル３４が引込み位置に向かって移動するのに応じて、第１のパネル３２が（第２のパネル３４の摺動移動方向に対して）異なる第２の方向に移動するのを容易にする。図２，図３，図５から分かるように、この例の折りたたみ機構６０は第１のリンク６２を含む。第１のリンク６２の一端６４は、回転軸６８で第１のパネル３２にピボット可能に連結されている。第１のリンク６２の反対側の端部は、回転軸７０で第２のリンク７２にピボット可能に連結されている。回転軸７０におけるピボット式連結部は、第１のリンク６２の第２の端部の近傍に位置する。第２のリンク７２は、回転軸７６でエレベータかご２２のプラットフォーム８０に固定された取付ブラケット７８にピボット可能に連結されている。回転軸７６におけるピボット式連結部は、第２のリンク７２の第２の端部８２の近傍に位置する。停止部材８４が第２のリンク７２に支持されており、第１のパネル３２が完全な引出し位置にあるときにリンク６２，７２を所望の配置に維持するように第１のリンク６２の面と接触する。
【００３６】
例示的な停止部材８４および折りたたみ機構６０の関連する構成要素の特徴の１つは、トーガードアセンブリが規定の要件を満たす機械強度を有することである。例えば、図示の例は、ＥＮ８１−２１の要件を満たしており、これは、トーガードに直角に、５ｃｍ2の面積にわたって矩形断面に加えられる３００Ｎの力に応じて、永久変形を生じずに、かつ３５ｍｍを超える水平変形を生じずに、十分に耐える機械強度に関する。
【００３７】
図５では、エレベータかごが昇降路２４の下面２６に接近している。図示の例は、第２のパネル３４の下面５４の下方に延在する接触片９０を含む。図示の例では、接触片９０はローラを含む。他の例は、摺動部材またはスケートを含む。接触片９０は、エレベータかご２２が十分に低い位置まで降下すると面２６に接触する。図６では、接触片９０が面２６に接触している。エレベータかごが下向きに移動し続けると、第２のパネル３４が第１のパネル３２に対して上向きに摺動する。この相対的な移動は、第１のパネル３２が第２のパネル３４に対して下向きに摺動すると考えることもできる。説明上、この移動は、第２のパネル３４の完全な引出し位置（図５参照）から引込み位置（図９参照）への移動と考える。
【００３８】
図７は、図５，図６の完全な引出し位置と（例えば、図９に示された）完全な引込み位置とのほぼ中間にある第２のパネル３４を概略的に示している。エレベータかご２２が降下し続けると、第２のパネル３４は引込み位置に向かって第１のパネル３２に対して移動し続ける。
【００３９】
図８に示すように、第２のパネル３４に支持された起動装置（ｉｎｓｔｉｇａｔｏｒ）９２が、折りたたみ機構６０の第１のリンク６２の一部と接触する。この例では、このような接触は第２のパネル３４が完全な引込み位置に到達する前に起こる。エレベータかごが降下し続けると、（図８，図９を比較すると分かるように）起動装置９２と第１のリンク６２との接触によって折りたたみ機構が折れ曲がり始める。折りたたみ機構６０の折れ曲がり動作により、第１のパネル３２が（例えば、図５〜図８に示す）引出し位置から折りたたみ位置に向かって押される。この例では、折りたたみ位置は、（例えば、図１１に示すように）第１のパネル３２が、プラットフォーム８０に対して傾斜した角度でエレベータかごの下にあるか、または（例えば、図１２に示すように）プラットフォーム８０に対してほぼ水平な位置を含む。エレベータかごが降下し続けると、第１のパネル３２が折りたたみ位置に向かって移動し続けるに従って、接触片９０は面２６に沿って移動する。
【００４０】
この例では、第１のパネル３２の一端は、回転軸９４で固定ブラケット５６にピボット可能に連結されている。この例の第１のパネル３２は、引出し位置と折りたたみ位置との間で移動するに従って回転軸９４を中心にピボットする。また、この例では、第１のパネル３２が引出し位置と折りたたみ位置との間で移動するときに、第２のパネル３４は第１のパネル３２と共に移動する。
【００４１】
図１０は、起動装置９２の例示的な形態を示している。この例では、起動装置９２は、第２のパネル３４に支持されたブラケットを含む。エレベータかご２２の引き続きの降下に応じて第１のパネル３２に対して第２のパネル３４が垂直かつ入れ子式に動くに従って、起動装置９２の接触面９６が第１のリンク６２の一部と接触する。
【００４２】
図１１は、完全に折りたたまれた位置における一例を示しており、プラットフォーム８０が昇降路内で面２６に対して所望の最下位置に到達している。一例では、図１１に示す配置は、エレベータかごの床がエレベータかごによってサービスを受ける最下乗場に対応する位置にあるように、プラットフォーム８０を十分な位置に位置づける。図１１から分かるように、第１のパネル３２および第２のパネル３４は、プラットフォーム８０に対して傾斜した角度となっている。
【００４３】
図６に示す位置では、第１のパネル３２と第２のパネル３４は、エレベータかごのプラットフォーム８０の下で第１の距離Ｄ１にわたって延在する。第２のパネル３４が第１のパネル３２に対して完全な引込み位置に接近している図８に示す位置では、第１のパネル３２と第２のパネル３４は、プラットフォーム８０の下でより短い第２の距離Ｄ２にわたって延在する。例えば、図１１に示す位置では、第１のパネル３２と第２のパネル３４は、プラットフォーム８０の下で第３のさらに短い距離Ｄ３にわたって延在する。一例では、距離Ｄ３は、約２８０ミリである。図示の配置は、エレベータ装置において種々のピット深さに対応することができる。加えて、図示の配置は、ピットを含まないエレベータ装置で有用である。
【００４４】
図１２は、第１のパネル３２と第２のパネル３４がプラットフォーム８０に実質的に平行なトーガードアセンブリ３０の位置を示している。これにより、第１のパネル３２と第２のパネル３４は、プラットフォームの下で第４の最小距離Ｄ４にわたって延在する。この状況は、一例では、エレベータかごがエレベータかごの下方にあるバッファを圧縮する位置まで十分に降下し、エレベータかごが面２６に対して絶対的な最下位置にある場合に生じる。完全な折りたたみ位置が必ず図１２の配置に対応するように、トーガードアセンブリ３０を構成することができる。また、完全な折りたたみ位置が図１１に示す配置に対応するように、トーガードアセンブリ３０を構成することもできる。当業者であれば、特定の状況における必要性を満たすために、完全な引出し位置および完全な折りたたみ位置でどのように構成要素を配置すべきかこの説明から分かるであろう。
【００４５】
開示された例は、エレベータかごに対して移動可能な２つ以上のパネルを有する独自のトーガードアセンブリを提供する。図示の例は、エレベータかごに対してピボット移動可能または折りたたみ可能な第１のパネルを含む。第２のパネルが、第１のパネルに対して摺動式または入れ子式に移動可能である。加えて、第１のパネルの移動は、第２のパネルが第１のパネルに対して引込み位置に向かって移動するのに応じて起こる。これにより、ピット深さが浅い場合やピットが存在しない場合にも、エレベータかごが昇降路内で移動することを可能とするトーガードアセンブリの独自の配置が提供される。
【００４６】
上述の説明は例示的なものであり、限定的なものではない。開示された実施例の変形や改良は当業者に明らかであり、必ずしも本発明の本質から逸脱するものではない。本発明に与えられる法的保護の範囲は、以下の請求項の検討によってのみ判断できる。
【図１】
0005796124.tif 000002
【図２】
0005796124.tif 000003
【図３】
0005796124.tif 000004
【図４】
0005796124.tif 000005
【図５】
0005796124.tif 000006
【図６】
0005796124.tif 000007
【図７】
0005796124.tif 000008
【図８】
0005796124.tif 000009
【図９】
0005796124.tif 000010
【図１０】
0005796124.tif 000011
【図１１】
0005796124.tif 000012
【図１２】
0005796124.tif 000013